(57)【要約】【課題】取り替え作業をおこなう作業者の経験に左右されることなく、鉄塔の強度が低下することを確実に防止することができ、作業者の安全性を確保すること。【解決手段】鉄塔１００を構成する複数の鉄塔部材１２３の一部の鉄塔部材１２３Ａをあらたな鉄塔部材に取り替える取り替え方法であって、一部の鉄塔部材１２３Ａの近傍であって当該一部の鉄塔部材１２３Ａとは別の鉄塔部材１２１に補強材５０１を取り付ける際に、凹部を備えた本体部と、共通の軸心に沿って本体部に螺合されて凹部の内側において先端を対向させる一対のボルトと、を備えた挟締金具４００を用いて、別の鉄塔部材１２１と補強材５０１とを、凹部の深さ方向における最奥部に突き当てた状態で一対のボルトの先端どうしの間に挟み込むようにした。【選択図】図６
2019106805.tif 000002
【特許請求の範囲】
【請求項１】
鉄塔を構成する複数の鉄塔部材の一部の鉄塔部材をあらたな鉄塔部材に取り替える取り替え方法であって、
前記一部の鉄塔部材の近傍であって当該一部の鉄塔部材とは別の鉄塔部材に、補強材を取り付ける補強材取り付け工程と、
前記補強材取り付け工程の後に、前記一部の鉄塔部材を取り外してから、前記あらたな鉄塔部材を取り付ける鉄塔部材取替工程と、
前記鉄塔部材取替工程の後に、前記補強材を取り外す補強材取り外し工程と、
を含み、
前記補強材取り付け工程は、
凹部を備えた本体部と、共通の軸心に沿って前記本体部に螺合されて前記凹部の内側において先端を対向させる一対のボルトと、を備えた挟締金具を用いて、
前記別の鉄塔部材と前記補強材とを、前記凹部の深さ方向における最奥部に突き当てた状態で前記一対のボルトの先端どうしの間に挟み込むことによって、前記別の鉄塔部材に前記補強材を取り付けることを特徴とする取り替え方法。
【請求項２】
前記補強材は、所定長さの形鋼であることを特徴とする請求項１に記載の取り替え方法。
【請求項３】
前記補強材は、等辺山形鋼であることを特徴とする請求項１または２に記載の取り替え方法。
【請求項４】
前記鉄塔は、形鋼を用いて構成されており、
前記補強材は、前記鉄塔部材と同一種類の形鋼であることを特徴とする請求項１〜３のいずれか一つに記載の取り替え方法。
【請求項５】
前記補強材取り付け工程は、前記別の鉄塔部材に取り付けられた前記補強材の間に前記一部の鉄塔部材が位置するように、複数の前記補強材を取り付けることを特徴とする請求項１〜４のいずれか一つに記載の取り替え方法。
【発明の詳細な説明】
【技術分野】
【０００１】
この発明は、鉄塔などの構造物を構成する部材の一部をあらたな部材に取り替える取り替え方法に関する。
【背景技術】
【０００２】
電気設備の改良工事の一環としておこなわれる既設の鉄塔への継込みに際し、検討段階において当該鉄塔の強度不足が発生した場合、実際の工事において、鉄塔を構成する鉄塔部材の一部を取り替えることによって強度不足を解消している。鉄塔部材の取り替え作業は、たとえば、既設の鉄塔部材の一部を取り外してから、あらたな鉄塔部材を取り付けることによっておこなっている。
【０００３】
このような鉄塔部材の取り替え作業に際しては、取り替え対象とする既設の鉄塔部材を取り外す前に、柱主材などに補強材を取り付けることにより、既設の鉄塔部材の一部を取り外すことによって低下する強度を補っている。補強材は仮設備であり、取り替え作業の完了後に取り外す。
【０００４】
従来、等辺山形鋼・単管パイプ・Ｈ形鋼など各種の鋼材の中から、経験を積んだ作業者が選定した鋼材を補強材として用いて、当該補強材をキャッチクランプやＶボルトなどの各種の固定部材を用いて柱主材に取り付けていた。
【０００５】
関連する技術として、具体的には、従来、たとえば、引掛け部材に引掛けたワイヤ対によって腕金主材を吊って腕金にかかる荷重を支えることにより、送電線を仮移線することなく腕金の構造部材を一部交換する鉄塔の腕金メンテナンス方法に関する技術があった（たとえば、下記特許文献１を参照。）。
【先行技術文献】
【特許文献】
【０００６】
【特許文献１】特開２０１２−２５１３１８号公報
【発明の概要】
【発明が解決しようとする課題】
【０００７】
しかしながら、上述した従来の技術は、補強材として用いる鋼材や固定部材の選定が作業者の経験に一任されることから、強度を検討する際に必要なデータが集めにくく、補強の確実性や信頼性を担保するためには経験を積んだ作業者がおこなわなくてはならないため、作業者に制限があるという問題があった。
【０００８】
この発明は、上述した従来技術による問題点を解消するため、取り替え作業をおこなう作業者の経験に左右されることなく、鉄塔の強度が低下することを確実に防止することができ、作業者の安全性を確保することができる取り替え方法を提供することを目的とする。
【課題を解決するための手段】
【０００９】
上述した課題を解決し、目的を達成するため、この発明にかかる取り替え方法は、鉄塔を構成する複数の鉄塔部材の一部の鉄塔部材をあらたな鉄塔部材に取り替える取り替え方法であって、前記一部の鉄塔部材の近傍であって当該一部の鉄塔部材とは別の鉄塔部材に、補強材を取り付ける補強材取り付け工程と、前記補強材取り付け工程の後に、前記一部の鉄塔部材を取り外してから、前記あらたな鉄塔部材を取り付ける鉄塔部材取替工程と、前記鉄塔部材取替工程の後に、前記補強材を取り外す補強材取り外し工程と、を含み、前記補強材取り付け工程は、凹部を備えた本体部と、共通の軸心に沿って前記本体部に螺合されて前記凹部の内側において先端を対向させる一対のボルトと、を備えた挟締金具を用いて、前記別の鉄塔部材と前記補強材とを、前記凹部の深さ方向における最奥部に突き当てた状態で前記一対のボルトの先端どうしの間に挟み込むことによって、前記別の鉄塔部材に前記補強材を取り付けることを特徴とする。
【００１０】
また、この発明にかかる取り替え方法は、上記の発明において、前記補強材が、所定長さの形鋼であることを特徴とする。
【００１１】
また、この発明にかかる取り替え方法は、上記の発明において、前記補強材が、等辺山形鋼であることを特徴とする。
【００１２】
また、この発明にかかる取り替え方法は、上記の発明において、前記鉄塔が、形鋼を用いて構成されており、前記補強材が、前記鉄塔部材と同一種類の形鋼であることを特徴とする。
【００１３】
また、この発明にかかる取り替え方法は、上記の発明において、前記補強材取り付け工程は、前記別の鉄塔部材に取り付けられた前記補強材の間に前記一部の鉄塔部材が位置するように、複数の前記補強材を取り付けることを特徴とする。
【発明の効果】
【００１４】
この発明にかかる取り替え方法によれば、取り替え作業をおこなう作業者の経験に左右されることなく、鉄塔の強度が低下することを確実に防止することができ、作業者の安全性を確保することができるという効果を奏する。
【図面の簡単な説明】
【００１５】
【図１】鉄塔の模式的な構成を示す説明図である。
【図２】鉄塔部材の連結部の一例を示す説明図である。
【図３】鉄塔部材の取り替え手順の一例を示す説明図（その１）である。
【図４】鉄塔部材の取り替え手順の一例を示す説明図（その２）である。
【図５】鉄塔部材の取り替え手順の一例を示す説明図（その３）である。
【図６】鉄塔部材の取り替え手順の一例を示す説明図（その４）である。
【図７】鉄塔部材の取り替え手順の一例を示す説明図（その５）である。
【図８】鉄塔部材の取り替え手順の一例を示す説明図（その６）である。
【図９】鉄塔部材の取り替え手順の一例を示す説明図（その７）である。
【発明を実施するための形態】
【００１６】
以下に添付図面を参照して、この発明にかかる取り替え方法の好適な実施の形態を詳細に説明する。
【００１７】
（鉄塔の構成）
まず、この発明にかかる実施の形態の取り替え方法の適用対象となる鉄塔の模式的な構成について説明する。図１は、鉄塔の模式的な構成を示す説明図である。図１においては、鉄塔の模式的な構成として、ブライヒ結構による鉄塔を示している。
【００１８】
図１において、鉄塔１００は、基礎部１１０と、鉄塔上部構造物１２０と、によって構成されている。基礎部１１０は、鉄塔上部構造物１２０を支持し、当該鉄塔上部構造物１２０の荷重を地盤に伝える、基礎部１１０により鉄塔上部構造物１２０を支持することにより、沈下や振動などを抑制することができる。具体的に、基礎部１１０は、たとえば、掘削穴内に据え付けられた基礎材と、当該掘削穴内に充填されたコンクリートと、によって構成される。
【００１９】
鉄塔上部構造物１２０は、主柱材（メインポスト）１２１、腕金部材（アーム）１２２、斜材（ブレーシング）１２３、水平材１２４などの各鉄塔部材を、ボルトなどを用いて固定することによって構成されている。鉄塔１００は、さらに、補助材や対角材などの鉄塔部材を含んで構成されていてもよい。各鉄塔部材は、等辺山形鋼によって実現することができる。
【００２０】
主柱材１２１は、基礎部１１０から起立して設けられる。主柱材１２１は、鉄塔１００を水平方向に切断した断面がなす四角形の頂点に位置するように設けられる。主柱材１２１は、腕金部材１２２を所定の高さにおいて支持するため、長さ方向に沿って複数接合されている。腕金部材１２２は、主柱材１２１に固定され、腕金を構成する。腕金部材１２２は、主柱材１２１がなす四角形の外周側に向かって、水平方向に沿って突出している。腕金は、先端部分において、架設送電線を支持する。
【００２１】
斜材１２３は、水平方向および鉛直方向に対して傾斜させた状態で、隣接する主柱材１２１の間に架け渡されている。斜材１２３を設けることにより、鉄塔上部構造物１２０の強度を高めることができる。水平材１２４は、斜材１２３の交点を通り、かつ、水平方向に沿って、隣接する主柱材１２１の間に架け渡されている。対辺材は、鉄塔１００を水平方向に切断した断面において隣り合う水平材１２４の中央どうしをつなぐように、当該隣り合う水平材１２４の間に架け渡されている。
【００２２】
主柱材１２１に対しては、架空送電線によって主柱材１２１どうしを相互に離間するように引っ張る外力が作用している。斜材１２３は、この外力に抗して、隣り合う主柱材１２１どうしを相互に引き寄せるように補強している。斜材１２３や水平材１２４は、水平方向および鉛直方向に対して傾斜した状態で取り付けられており、特に、斜材１２３による補強は、主柱材１２１に対して、鉛直方向において所定の幅を持った範囲に作用する。
【００２３】
斜材１２３用補助材や主柱材１２１用補助材などの補助材は、主柱材１２１と斜材１２３と水平材１２４とによって形成される三角形をさらに小さい三角形に区切るように設けられる。このような補助材を設けることにより、斜材１２３を太くすることなく強度を上げることができる。
【００２４】
対角材は、主柱材１２１がなす四角形の対角に位置する主柱材１２１の間に架け渡されている。同一水平面内において主柱材１２１がなす四角形の対角線が交差する位置には、対角材を支持する鋼板が設けられていてもよい。対角材は、たとえば、腕金部材１２２と同じ高さに設けられている。
【００２５】
図２は、鉄塔部材の連結部の一例を示す説明図である。図２に示すように、主柱材１２１、腕金部材１２２、斜材１２３などの鉄塔部材は、たとえば、主柱材１２１に溶接などの方法で設けられた主柱材プレート２０１に、腕金部材１２２、斜材１２３、水平材１２４、対辺材の端部をボルトで固定することによって互いに連結されている。鉄塔部材どうしを主柱材プレート２０１を介して連結することにより、たとえば、ブライヒ結構による鉄塔１００などのように、一箇所に集中して固定される複数本の鉄塔部材のそれぞれを確実に固定することができる。
【００２６】
（鉄塔部材の取り替え手順）
つぎに、この発明にかかる実施の形態の取り替え方法にしたがった、鉄塔部材の取り替え手順について説明する。図３〜図９は、鉄塔部材の取り替え手順の一例を示す説明図である。この実施の形態においては、鉄塔１００を構成する複数の鉄塔部材のうちの一部の鉄塔部材である斜材１２３を取り替え対象とする取り替え手順について説明する。具体的には、図３において一部を示す、鉄塔１００における斜材１２３Ａを取り替える際の取り替え手順について説明する。
【００２７】
鉄塔部材の取り替え作業に際しては、まず、鉄塔１００に補強材を取り付ける補強材取り付け工程をおこなう。補強材は、所定長さの形鋼を用いる。補強材は、鋼鉄を加工することによって形成される鋼材であって長さが断面に比して著しく長い条鋼である形鋼のうち、鉄塔１００を構成する鉄塔部材と同じ等辺山形鋼を用いることが好ましい。補強材の長さは、補強材を架け渡す位置における、隣り合う主柱材１２１どうしの水平方向における間隔より長い。
【００２８】
補強材は、挟締金具を用いて主柱材１２１に取り付ける。図４に示すように、挟締金具４００は、本体部４０１と一対のボルト４０２とを備えている。本体部４０１は、基部４０１ａから同一方向に略平行に突出する一対のアーム４０１ｂを備えた、略「Ｕ」字形状ないし略「Ｃ」字形状をなす。一対のアーム４０１ｂの間には、一対のアーム４０１ｂと基部４０１ａとによって凹部４０３が形成されている。本体部４０１は、たとえば、鉄やステンレス鋼を用いて、鋳造などの加工方法によって一体に形成されている。
【００２９】
本体部４０１には、ネジ孔が設けられている。ネジ孔は、一対のアーム４０１ｂのそれぞれに設けられ、それぞれが一対のアーム４０１ｂの対向方向に沿って各アーム４０１ｂを貫通している。ネジ孔は、同一の軸心に沿って各アーム４０１ｂを貫通している。
【００３０】
一対のボルト４０２は、それぞれ、本体部４０１に設けられたネジ孔に螺合されている。各ボルト４０２は、それぞれ、ネジ孔を貫通し、先端が凹部４０３内に位置づけられた状態でネジ孔に螺合されている。各ボルト４０２は、軸心周りに回転することにともなって、同一の軸心に沿って移動する。
【００３１】
具体的に、ボルト４０２は、軸心周りに締め込む方向（時計回り）に回転した場合に、同一の軸心に沿って、対となるボルト４０２の先端に近づく方向に移動する。また、ボルト４０２は、軸心周りに緩める方向（反時計回り）に回転した場合に、同一の軸心に沿って、対となるボルト４０２の先端から離間する方向に移動する。
【００３２】
具体的に、このような挟締金具４００は、たとえば、ブルマン（登録商標）金具などと称される、架設接合用途に用いられる万力によって実現することができる。ブルマン金具は、ボルトを回転させて締め付ける際に回転方向に回転させる力である「締め付けトルク」が規定されている。
【００３３】
補強材取り付け工程においては、主柱材１２１と補強材とを本体部４０１の凹部４０３内に位置付けた状態で、一対のボルト４０２のそれぞれを締め込む方向に回転させる。これにより、一対のボルト４０２の間において主柱材１２１と補強材とが挟持され、主柱材１２１に補強材を押しつけるようにして当該補強材を取り付けることができる。
【００３４】
また、補強材取り付け工程においては、挟締金具４００における一対のボルト４０２を、それぞれの先端を主柱材１２１および補強材のいずれかに当接させた状態で、各先端が主柱材１２１および補強材のいずれかに食い込むようにして回転させる。挟締金具４００としてブルマン金具を用いる場合、トルクレンチを用いて、規定された締め付けトルクまで締め込むことによって、補強材を主柱材１２１に取り付けることができる。
【００３５】
補強材取り付け工程においては、補強材は、斜材１２３を取り外すことによって低下する強度を補うように取り付ける。具体的に、主柱材１２１に取り付けられた補強材の間に斜材１２３Ａが位置するように、複数の補強材を取り付ける。
【００３６】
より具体的には、たとえば、斜材１２３Ａを取り替えるために、略鉛直方向に沿って起立する主柱材１２１に補強材を取り付ける場合、まず、図５に示すように、斜材１２３Ａの上端の近傍であって当該上端より上側の位置に、補強材５０１を水平方向に沿って取り付ける。つぎに、図６に示すように、斜材１２３Ａの下端の近傍であって当該下端より下側の位置に、別の補強材５０１を水平方向に沿って取り付ける。これにより、斜材１２３Ａは、図６に示すように、一対の補強材５０１と、当該補強材５０１が取り付けられた主柱材１２１と、によって囲まれる枠内に位置する。
【００３７】
なお、補強材５０１取り付け工程においては、図７に示すように、斜材１２３Ａの下端の近傍であって当該下端より下側の位置に、補強材５０１を水平方向に沿って取り付けた後に、斜材１２３Ａの上端の近傍であって当該上端より上側の位置に、補強材５０１を水平方向に沿って取り付けるようにしてもよい（図６を参照）。
【００３８】
つぎに、鉄塔部材取替工程をおこなう。鉄塔部材取替工程は、補強材５０１取り付け工程の後におこなう。鉄塔部材取替工程においては、図８に示すように、取り替え対象とする斜材１２３Ａを取り外してから、図９に示すように、あらたな斜材（あらたな鉄塔部材）１２３Ｂを取り付ける、すなわち斜材１２３の取り替えをおこなう。
【００３９】
上記のように、主柱材１２１に対しては主柱材１２１どうしを相互に離間するように引っ張る外力が作用している。この実施の形態においては、補強材５０１の間に斜材１２３が位置するように、一対の補強材５０１を取り付けているため、取り替え対象とする斜材１２３Ａを取り外しても、一対の補強材５０１によって、取り替え対象とする斜材１２３Ａが架け渡されていた隣り合う主柱材１２１どうしが離間しないように、鉛直方向における所定の範囲にわたって当該隣り合う主柱材１２１どうしを引き寄せることができる。これにより、鉄塔部材の取り替え作業中に鉄塔１００の強度が低下することを確実に防止することができる。
【００４０】
あらたな斜材１２３Ｂは、取り替え対象とする斜材１２３Ａと同じ位置に、取り替え対象とする斜材１２３Ａと同じ方法で取り付ける。すなわち、取り替え対象とする斜材１２３Ａがボルト４０２を用いて主柱材１２１に取り付けられていた場合、あらたな斜材１２３Ｂも同様に、ボルト４０２を用いて主柱材１２１に取り付ける。これにより、図９に示すように、鉄塔１００は、取り替え対象とする斜材１２３Ａを取り外す前と同じ状態（図６を参照）となる。
【００４１】
その後、補強材５０１取り付け工程において主柱材１２１に取り付けた補強材５０１を取り外す、補強材５０１取り外し工程をおこなう。補強材５０１取り外し工程は、鉄塔部材取替工程の後におこなう。補強材５０１取り外し工程においては、ブルマン金具などの挟締金具４００におけるボルト４０２を緩め、補強材５０１を取り外す。これにより、鉄塔部材の取り替え作業が完了する。
【００４２】
以上説明したように、この発明にかかる実施の形態の取り替え方法は、鉄塔１００を構成する複数の鉄塔部材の一部の鉄塔部材（斜材１２３Ａ）をあらたな鉄塔部材（斜材１２３Ｂ）に取り替える取り替え方法であって、一部の鉄塔部材の近傍であって当該一部の鉄塔部材とは別の鉄塔部材（主柱材１２１）に、補強材５０１を取り付ける補強材５０１取り付け工程と、補強材５０１取り付け工程の後に、一部の鉄塔部材を取り外してから、あらたな鉄塔部材を取り付ける鉄塔部材取替工程と、鉄塔部材取替工程の後に、補強材５０１を取り外す補強材５０１取り外し工程と、を含む。
【００４３】
そして、補強材５０１取り付け工程において、凹部４０３を備えた本体部４０１と、共通の軸心に沿って本体部４０１に螺合されて凹部４０３の内側において先端を対向させる一対のボルト４０２と、を備えた挟締金具４００を用いて、別の鉄塔部材と補強材５０１とを、凹部４０３の深さ方向における最奥部に突き当てた状態で一対のボルト４０２の先端どうしの間に挟み込むことによって、別の鉄塔部材に補強材５０１を取り付けるようにしたことを特徴としている。
【００４４】
この発明にかかる実施の形態の取り替え方法によれば、補強材５０１取り付け工程において挟締金具４００を用いて補強材５０１を取り付けることにより、専門性の高い特殊技術を要することなく、補強材５０１を確実に固定することができる。これにより、取り替え作業をおこなう作業者の経験に左右されることなく、補強材５０１を確実に固定することができ、補強材５０１の取り付けが不十分であるために、鉄塔部材の取り替え作業中に鉄塔１００の強度が低下することを確実に防止することができ、作業者の安全性を確保することができる。
【００４５】
このように、この発明にかかる実施の形態の取り替え方法によれば、取り替え作業をおこなう作業者の経験に左右されることなく、鉄塔１００の強度が低下することを確実に防止することができ、作業者の安全性を確保することができる。
【００４６】
また、この発明にかかる実施の形態の取り替え方法によれば、特殊技術が不要であるため、このような特殊技術を要する作業者に請け負いを依頼することなく、電力会社などのような鉄塔１００の管理者の直営作業によって鉄塔部材の取り替え作業をおこなうことができる。これにより、作業計画が容易になり、工期の短縮を図ることができる。
【００４７】
また、この発明にかかる実施の形態の取り替え方法は、補強材５０１が、所定長さの形鋼であることを特徴としている。
【００４８】
この発明にかかる実施の形態の取り替え方法によれば、平面を備える形鋼を補強材５０１として用いることにより、挟締金具４００のボルトを安定して補強材５０１に当接させることができるので、挟締金具４００による補強材５０１の固定を確実におこなうことができる。これにより、補強材５０１の取り付けが不十分であるために、鉄塔部材の取り替え作業中に鉄塔１００の強度が低下することを確実に防止することができ、作業者の安全性を確保することができる。
【００４９】
また、この発明にかかる実施の形態の取り替え方法は、補強材５０１が、等辺山形鋼であることを特徴としている。
【００５０】
この発明にかかる実施の形態の取り替え方法によれば、鉄塔部材として多く用いられている等辺山形鋼を用いることにより、等辺山形鋼を用いた鉄塔１００の強度計算をおこなうようにプログラムされた既存の鉄塔１００の強度計算ソフトウエアを用いて、補強材５０１に関する強度計算をおこなうことができる。
【００５１】
これにより、鉄塔１００の強度計算ソフトウエアによる品質および安全性が確保された計算結果に基づき、補強材５０１を取り付けて鉄塔部材の取り替え作業をおこなうことができるので、作業者の経験に左右されることなく、安全かつ確実な取り替え作業をおこなうことができる。
【００５２】
また、この発明にかかる実施の形態の取り替え方法は、鉄塔１００が形鋼を用いて構成されており、補強材５０１は、鉄塔部材と同一種類の形鋼であることを特徴としている。
【００５３】
この発明にかかる実施の形態の取り替え方法によれば、鉄塔部材と同一種類の形鋼を補強材５０１とすることにより、等辺山形鋼に限らず、所定の鉄塔部材を用いて構成された鉄塔１００の強度計算をおこなうようにプログラムされた既存の鉄塔１００の強度計算ソフトウエアを用いて、補強材５０１に関する強度計算をおこなうことができる。これにより、鉄塔１００の強度計算ソフトウエアによる品質および安全性が確保された計算結果に基づき、補強材５０１を取り付けて鉄塔部材の取り替え作業をおこなうことができるので、作業者の経験に左右されることなく、安全かつ確実な取り替え作業をおこなうことができる。
【００５４】
また、この発明にかかる実施の形態の取り替え方法は、補強材５０１取り付け工程が、別の鉄塔部材に取り付けられた補強材５０１の間に一部の鉄塔部材が位置するように、複数の補強材５０１を取り付けることを特徴としている。
【００５５】
この発明にかかる実施の形態の取り替え方法によれば、取り替え対象とする一部の鉄塔部材が補強材５０１の間に位置するように、すなわち、一部の鉄塔部材を挟み込むようにして補強材５０１を取り付けることにより、一部の鉄塔部材を取り外した状態の鉄塔１００の強度を確保して鉄塔部材の取り替え作業中に鉄塔１００の強度が低下することを確実に防止することができ、作業者の安全性を確保することができる。
【産業上の利用可能性】
【００５６】
以上のように、この発明にかかる取り替え方法は、鉄塔などの構造物を構成する部材の一部をあらたな部材に取り替える取り替え方法に有用であり、特に、荷重がかかる特別高圧電線を支持する鉄塔などの構造物を構成する部材の一部をあらたな部材に取り替える取り替え方法に適している。
【符号の説明】
【００５７】
１００  鉄塔
１１０  基礎部
１２０  鉄塔上部構造物
１２１  主柱材（別の鉄塔部材）
１２２  腕金部材
１２３  斜材
１２３Ａ  一部の鉄塔部材
１２３Ｂ  あらたな鉄塔部材
１２４  水平材
４００  挟締金具
４０１  本体部
４０１ａ  基部
４０１ｂ  アーム
４０２  ボルト
５０１  補強材
【図１】
2019106805.tif 000003
【図２】
2019106805.tif 000004
【図３】
2019106805.tif 000005
【図４】
2019106805.tif 000006
【図５】
2019106805.tif 000007
【図６】
2019106805.tif 000008
【図７】
2019106805.tif 000009
【図８】
2019106805.tif 000010
【図９】
2019106805.tif 000011